(57)【要約】【課題】上側を基点（ゼロ）とした高さ測定に使用する場合に適したスタッフを提供する。【解決手段】角筒状部材からなる先端部材２、第一中間部材３、第二中間部材４および基端部材５が連結されてなるスタッフ１であって、表面１１と裏面１２とにはそれぞれ異なる配色が付されているとともに、表面１１には下端から上端に連続する正目盛６が付されていて、裏面１２には、先端部材２の上端から下端に向うに従って増加する逆さ目盛７が付されている。【選択図】図１
0003199274.tif 000002
【実用新案登録請求の範囲】
【請求項１】
複数の棒材が連結されてなるスタッフであって、
基端側の前記棒材は、先端側の前記棒材を収納可能な筒状体からなり、
少なくとも最も先端側に位置する前記棒材には、先端から基端に向うに従って増加する逆さ目盛が付されていることを特徴とする、スタッフ。
【請求項２】
前記複数の棒材は、角筒状部材からなり、
前記各棒材の４つの側面のうちの１つの側面である表面には、最も基端側に位置する前記棒材の基端から最も先端側に位置する前記棒材の先端に向って増加する正目盛が付されていて、
前記表面の反対側の側面である裏面には、前記逆さ目盛が付されていることを特徴とする、請求項１に記載のスタッフ。
【請求項３】
前記表面と前記裏面とで、異なる色が付されていることを特徴とする、請求項２に記載のスタッフ。
【考案の詳細な説明】
【技術分野】
【０００１】
本考案は、測量用のスタッフ（測量用標尺）に関する。
【背景技術】
【０００２】
建設工事等では、地形または構造物等の現況や施工前後の状況等を計測するために、水準測量（レベル測量）を行う場合がある。
水準測量では、レベルと呼ばれる測量器によって、スタッフ（測量用標尺）と呼ばれる棒状部材を視準することにより、測点の高さを測定する。スタッフは、基端側の筒状体に収納可能な筒状体が複数段連結されてなるのが一般的である（例えば、特許文献１参照）。
【０００３】
トンネル工事では、トンネル覆工コンクリートの出来形検査や、トンネル掘削時の施工管理を目的として、トンネル天端の高さを測定する場合がある。
トンネル天端の高さを測定する際には、トンネル天端にプリズム等のターゲットを設けて、トータルステーション等の測定器を利用して測量するのが一般的である。
ところが、トンネル天端の測定は、施工を一時的に停止する必要があるため、可能な限り迅速に実施する必要がある。
そのため、トンネル天端の高さの測定方法として、トンネル天端に配置したスタッフの目盛をレベルで測定する場合がある。このとき、目盛のゼロ（基点）がトンネル天端となるようにスタッフを配置すれば、計算作業を省略して、測定値によって出来形や施工精度の評価を行うことが可能となる。
【先行技術文献】
【特許文献】
【０００４】
【特許文献１】特許第３５５９４０３号公報
【考案の概要】
【考案が解決しようとする課題】
【０００５】
スタッフの目盛は、基端をゼロとして、先端に向うに従って大きくなるように付されている。
そのため、トンネル天端に目盛のゼロを設定するためには、図４に示すように、スタッフを通常の使用状態とは逆にする必要があるが、太くて重い基端部１０１を上側にし、細くて軽い先端部１０２を保持するため不安定である。
また、測量時にバランスを崩してスタッフ１００が傾斜すると、スタッフ１００の先端部１０２が荷重に耐えられずに破損するおそれがある。
【０００６】
本考案は、前記の問題点を解決することを目的とするものであり、トンネル天端高さの測定等のように、上側を基点（ゼロ）とした高さ測定に適したスタッフを提供することを課題とする。
【課題を解決するための手段】
【０００７】
前記課題を解決するために、本考案は、複数の棒材が連結されてなるスタッフであって、基端側の前記棒材は、先端側の前記棒材を収納可能な筒状体からなり、少なくとも最も先端側に位置する前記棒材には、先端から基端に向うに従って増加する逆さ目盛が付されていることを特徴としている。
【０００８】
かかるスタッフによれば、最も先端側の棒材の先端をゼロとした目盛が付されているため、先端を測点に当接させた状態で測量する際には、先端側の棒材よりも太い基端側の棒材を保持することができる。したがって、例えば、先端（ゼロ）をトンネル天端に当接される場合であっても、安定した状態で測量を行うことができるとともに、何らかの原因でバランスを崩した場合であっても、スタッフに破損が生じる可能性が低い。
【０００９】
前記複数の棒材は、角筒状部材からなり、前記各棒材の４つの側面のうちの１つの側面である表面には、最も基端側に位置する前記棒材の基端から最も先端側に位置する前記棒材の先端に向って増加する正目盛が付されていて、前記表面の反対側の側面である裏面には、前記逆さ目盛が付されていてもよい。
かかるスタッフによれば、下側を基点（ゼロ）とした水準測量と、上側を基点（ゼロ）とした水準測量との両方に使用することが可能となる。
さらに、前記表面と前記裏面とで、異なる色が付されていれば、表面と裏面とを見分けやすいため、測量時のミスを減らすことができる。
【考案の効果】
【００１０】
本考案のスタッフを使用すれば、トンネル天端高さの測定等のように、上側を基点（ゼロ）とした高さ測定を簡易に行うことが可能となる。
【図面の簡単な説明】
【００１１】
【図１】（ａ）本考案の実施の形態に係るスタッフを示す正面図、（ｂ）は同スタッフの背面図、（ｃ）は正目盛を示す拡大図、（ｄ）は逆さ目盛を示す拡大図である。
【図２】スタッフを収縮させた状態を示す斜視図である。
【図３】スタッフの使用状況を示す断面図である。
【図４】従来のトンネル天端高さの測定状況を示す断面図である。
【考案を実施するための形態】
【００１２】
本実施形態では、トンネルの覆工コンクリートの天端の基準高測定に使用するスタッフ１について説明する。
スタッフ１は、図１（ａ）および（ｂ）に示すように、先端部材２、第一中間部材３、第二中間部材４および基端部材５の４本の断面矩形の角筒状部材を、軸方向に伸縮可能に連結することで構成されている。
本実施形態のスタッフ１は、４本の角筒状部材が連結されており、伸張させた状態で（各筒状部材を引き出した状態）全長７ｍを有しているが、スタッフ１を構成する角筒状部材の本数および長さは限定されるものではなく、適宜設定すればよい。
また、スタッフ１を構成する各棒状部材は角筒状部材に限定されるものではなく、例えば、矩形以外の多角形や、円形等であってもよい。
さらに、先端部材２、第一中間部材３、第二中間部材４および基端部材５を構成する材料は限定されるものではないが、例えば、アルミニウム合金等、所定の強度を有し、かつ、軽量であるのが望ましい。
【００１３】
スタッフ１の表面１１には、図１（ｃ）に示すように、上に向うに従って増加する目盛（以下、「正目盛６」という）が、スタッフ１の基端（下端）から先端（上端）にまで全長にわたって連続して付されている。
一方、スタッフ１の裏面１２には、図１（ｄ）に示すように、先端部材２の先端（上端）から下に向うに従って増加する目盛（以下「逆さ目盛７」という）が付されている。なお、図１（ｂ）に示すように、本実施形態では、先端部材２のみに逆さ目盛７が付されている場合について説明するが、逆さ目盛７が付される範囲は限定されるものではなく、例えば、スタッフ１の全長にわたって付されていてもよい。
【００１４】
本実施形態では、逆さ目盛７を、暗所において見やすい塗料（例えば、蛍光塗料や畜光塗料）により付すものとする。なお、逆さ目盛７および正目盛６の塗料は限定されるものではない。
スタッフ１の表面１１には、１ｍピッチで、黄色等の塗料が配色された配色区間１３と、白色の塗料が配色された無色区間１４とが交互に配設されている。一方、スタッフ１の裏面１２は、単一色に統一されている。なお、裏面１２は必ずしも単色である必要はなく、例えば、表面１１と同様に１ｍピッチで異なる色が付されていてもよい。また、表面１１と裏面１２は、同じ色が付されていてもよいし、異なる色が付されていてもよい。
【００１５】
図２に示すように、先端部材２は、第一中間部材３の内部に収納可能な断面形状を有している。先端部材２の先端には保護材２１が固定されている。保護材２１の外幅は、第一中間部材３の内空幅よりも大きく、先端部材２を第一中間部材３に収納した際（収縮した際）に、先端部材２の全体が第一中間部材３に入り込むことがない。
保護材２１を構成する材料は、何らかの原因により先端部材２の先端に衝撃が加えられた場合であっても先端部材２の破損を防止することができれば限定されるものではなく、例えばプラスチック樹脂により構成すればよい。保護材２１は必要に応じて設ければよい。
なお、本実施形態では、先端部材２を角筒状部材により形成する場合について説明するが、先端部材２は必ずしも筒状部材である必要はなく、例えば密実は棒材であってもよい。
【００１６】
第一中間部材３は、第二中間部材４の内部に収納可能な断面形状を有している。第一中間部材３の先端部の外面には保護材３１が形成されており、第一中間部材３の先端部の外幅が第二中間部材４の内空幅よりも大きくなるように構成されている。そのため、第一中間部材３を第二中間部材４に収納した際（収縮した際）に、第一中間部材３の全体が第二中間部材４に入り込むことがない。保護材３１を構成する材料は、何らかの原因により第一中間部材３の先端に衝撃が加えられた場合であっても第一中間部材３の破損を防止することができれば限定されるものではなく、例えばプラスチック樹脂により構成すればよい。
本実施形態の保護材３１は、平面視Ｃ字状を呈しており、表面側に開口部分が配置されるように設けられている。なお、保護材３１は、必要に応じて設ければよく、省略してもよい。
【００１７】
第二中間部材４は、基端部材５の内部に収納可能な断面形状を有している。第二中間部材４の先端部の外面には保護材４１が形成されており、第二中間部材４の先端部の外幅が基端部材５の内空幅よりも大きくなるように構成されている。そのため、第二中間部材４を基端部材５に収納した際（収縮した際）に、第二中間部材４の全体が基端部材５に入り込むことがない。保護材４１を構成する材料は、何らかの原因により第二中間部材４の先端に衝撃が加えられた場合であっても第二中間部材４の破損を防止することができれば限定されるものではなく、例えばプラスチック樹脂により構成すればよい。
本実施形態の保護材４１は、平面視Ｃ字状を呈しており、表面側に開口部分が配置されるように設けられている。なお、保護材４１は、必要に応じて設ければよく、省略してもよい。
【００１８】
基端部材５の上端および下端には、それぞれ保護材５１，５２が固定されている。
保護材５１，５２は、何らかの原因により基端部材５の端部に衝撃が加わった場合における基端部材５の破損を防止する。
基端部材５の上端に設けられた保護材５１は、平面視Ｃ字状を呈している。保護材５１は、表面側に開口部分が配置されるように設けられていることで、保護材５１によって正目盛が隠れることがないように構成されている。
基端部材５の下端に設けられた保護材５２は、基端部材５の下端を覆っている。
保護材５１，５２を構成する材料は限定されるものではなく、例えばプラスチック樹脂により構成すればよい。なお、保護材５１，５２は必要に応じて設ければよい。
また、図１（ｂ）に示すように、基端部材５の裏面１２には、水準器８が取り付けられている。
【００１９】
スタッフ１を利用したトンネル天端の測量は、図３に示すように、スタッフ１の裏面１２を測量器に対向させつつスタッフ１の先端をトンネルＴの天端に当接させた状態で行う。このとき、作業員または支持部材等により基端部材５を保持すればよい。
【００２０】
本実施形態のスタッフ１によれば、細くて軽い部分である先端部材２の先端をゼロとした逆さ目盛７が付されているため、スタッフ１のゼロをトンネル天端に当接させる場合でも、先端部材２よりも太い基端部材５を保持した状態で、トンネル天端の測量を行うことが可能である。そのため、安定した状態で測量を行うことができるとともに、何らかの原因でバランスを崩した場合であっても、スタッフ１に破損が生じるおそれがない。
また、スタッフ１は、正目盛６と逆さ目盛７の両方を備えているため、地盤面等の下側を基点（ゼロ）とした水準測量と、トンネルの天端等の上側を基点（ゼロ）とした水準測量との両方に使用することが可能となる。
また、スタッフ１の表面６と裏面７とで配色が異なっているため、一目で表面６と裏面７とを見分けることができる。したがって、正目盛１１と逆さ目盛１２とを読み間違えるようなミスを防止することができる。
【００２１】
以上、本考案に係る実施形態について説明した。しかし、本考案は、前述の実施形態に限られず、前記の各構成要素については、本考案の趣旨を逸脱しない範囲で、適宜変更が可能である。
前記実施形態では、スタッフ１の表面１１に正目盛６が付されていて、裏面１２に逆さ目盛７が付されている場合について説明したが、スタッフ１の表面１１に逆さ目盛７が付されていてもよい。この場合、スタッフ１には、必ずしも正目盛６が付されている必要はない。
前記実施形態では、トンネルの天端測量にスタッフ１を使用する場合について説明したが、スタッフ１の使用箇所は限定されるものではない。例えば、ボックスカルバート等の頂版の出来形検査等に使用してもよい。
また、スタッフ１は現場写真のスケールに使用してもよい。
前記実施形態では、先端部材２に予め逆さ目盛７が付されている場合について説明したが、逆さ目盛７が付されたシール材や付属部材を、先端部材２に貼設してもよい。
スタッフ１の使用方法は限定されるものではなく、例えば、トンネル覆工コンクリートの出来形（覆工厚）の測定に使用する場合には、地山に先端部材２の先端を当接された状態で、覆工コンクリートの表面の位置を逆さ目盛７により計測すればよい。
【符号の説明】
【００２２】
１    スタッフ（測量用スタッフ）
１１  表面
１２  裏面
１３  配色区間
１４  無色区間
２    先端部材（棒材）
３    第一中間部材（棒材）
４    第二中間部材（棒材）
５    基端部材（棒材）
６    正目盛
７    逆さ目盛
【図１】
0003199274.tif 000003
【図２】
0003199274.tif 000004
【図３】
0003199274.tif 000005
【図４】
0003199274.tif 000006